(57)【特許請求の範囲】
【請求項１】
内容物が入れられた袋と、この袋が挿入される容器本体と、上記容器本体の開口部に嵌め込まれる際に上記袋の開封口を拡開する拡開部材と、上記容器本体の開口部を開閉する開閉蓋とを具備する詰替容器において、上記袋は開封によって多角形の開封口が形成されるガセット袋であり、上記拡開部材は、上記容器本体の開口部に装着される際に、上記容器本体内に収納されたガセット袋の開封口における外向きノッチ部内に侵入しつつ各外向きノッチ部を拡開する第一のガイド部と、この拡開部材の上記容器本体の開口部への装着が完了する際に上記開封口の内周縁を案内して上記開封口を整った形状に拡開する第二のガイド部と、を具備し、上記第一のガイド部による開封口の拡開時に開封口の内向きノッチ部の通過を許容する逃げ部が拡開部材に設けられたことを特徴とする詰替容器。
【請求項２】
請求項１に記載の詰替容器において、逃げ部の奥に内向きノッチ部に接する庇状ガイド部が設けられたことを特徴とする詰替容器。
【請求項３】
請求項１又は請求項２に記載の詰替容器において、上記拡開部材の第二のガイド部は、上記容器本体の開口部の全内周に沿うように壁状に延びていることを特徴とする詰替容器。
【請求項４】
請求項１乃至請求項３のいずれか一項に記載の詰替容器において、上記拡開部材は上記容器本体の開口部と嵌合する嵌合部を有し、上記開閉蓋は上記拡開部の嵌合部の上から上記本体の開口部に嵌合する嵌合部を有することを特徴とする詰替容器。
【請求項５】
請求項４に記載の詰替容器において、上記拡開部材における嵌合部の内周側に、計量具を載置可能な環状の水平壁が設けられたことを特徴とする詰替容器。
【請求項６】
請求項４、又は請求項５に記載の詰替容器において、上記拡開部材における嵌合部に、計量具で掬った内容物を擦り切る摺り切りが架け渡されたことを特徴とする詰替容器。
【請求項７】
ガセット袋の開封口における外向きノッチ部内に侵入しつつ各外向きノッチ部を拡開する第一のガイド部と、上記第一のガイド部が上記ガセット袋の開封口内に入り切る際に上記開封口の内周縁を案内して上記開封口を整った形状に拡開する第二のガイド部と、を具備し、上記第一のガイド部による開封口の拡開時に開封口の内向きノッチ部の通過を許容する逃げ部が設けられたことを特徴とするガセット袋開封口拡開具。
【請求項８】
内容物が入れられた袋と、この袋が挿入される容器本体と、上記容器本体の開口部に嵌め込まれる際に上記袋の開封口を拡開する拡開部材と、上記容器本体の開口部を開閉する開閉蓋とが組み合わされた詰替容器セットにおいて、上記袋は開封によって多角形の開封口が形成されるガセット袋であり、上記拡開部材は、上記容器本体の開口部に装着される際に、上記容器本体内に収納されたガセット袋の開封口における外向きノッチ部内に侵入しつつ各外向きノッチ部を拡開する第一のガイド部と、この拡開部材の上記容器本体の開口部への装着が完了する際に上記開封口の内周縁を案内して上記開封口を整った形状に拡開する第二のガイド部と、を具備し、上記第一のガイド部による開封口の拡開時に開封口の内向きノッチ部の通過を許容する逃げ部が設けられたことを特徴とする詰替容器セット。
【発明の詳細な説明】
【技術分野】
【０００１】
本発明は、粉ミルク等の内容物を入れたガセット袋を開封して袋ごと詰め替えることができる詰替容器、及び開封したガセット袋を詰替容器の容器本体内に収納する際にガセット袋の開封口を円滑かつ正確に拡開して容器本体内にセットすることができる拡開具並びに詰替容器セットに関する。
【背景技術】
【０００２】
従来、粉ミルク等の内容物は缶に充填され密封された包装体として流通市場に供給されている。缶には開閉蓋付き蓋体が付属しており、缶を開封した後にこの開閉蓋付き蓋体を缶に被せ、開閉蓋を開閉すれば、缶内の内容物を小出しに取り出すことが可能である（例えば、特許文献１参照）。
【０００３】
また、ふりかけ等を収納する容器には、ふりかけ等を収納した袋を開封した後に袋ごと容器本体内に収納し、容器本体の開口部を開閉蓋付き蓋体で覆うようにしたものがある。この容器は、開閉蓋付き蓋体と容器本体との嵌合部に袋の開封口の縁を挟み込むことで、容器から中身を振り出す際に、容器本体内への中味の落下を防止するようになっている（例えば、特許文献２参照。）。
【先行技術文献】
【特許文献】
【０００４】
【特許文献１】特許第４２１９２０５号公報
【特許文献２】実用新案登録第２５５４８２２号公報
【発明の概要】
【発明が解決しようとする課題】
【０００５】
上記従来技術のうち前者は使い捨ての包装体であるから、中味を消費した後の缶の処分が面倒であるという問題がある。
【０００６】
後者の包装体は金属以外のプラスチック、紙等で作ることができるので、中味を消費した後の容器本体、袋等の処分は容易である。また、空の袋を中味の入った新しいものと交換することで容器本体、開閉蓋付き蓋体は再使用することができる。
【０００７】
しかし、後者の包装体は、柔らかい袋の開封口の全周縁を指で拡げてその拡げた状態を保持しながら、容器本体側の開口縁を袋の開封口の全周縁と共に開閉蓋付き蓋体側の環状溝内に押し込まなければならず、そのため袋を容器本体内に装着したり、袋を新しいものと交換したりする際の操作が極めて面倒である。また、袋を容器本体内に装着する際に、袋開封口の周縁の一部が容器本体の内側に取り残されたりすることがあり、その場合は取り残された箇所から中味が袋と容器本体との間に入り込むという不具合が生じる。さらに、袋を容器本体内に装着する際に、指で袋の開封口を支える必要があり、その指が袋内に侵入して内容物に接触するので不衛生であるという問題がある。
【０００８】
したがって、本発明は、上記問題点を解決することができる詰替容器、ガセット袋開封口拡開具及び詰替容器セットを提供することを目的とする。
【課題を解決するための手段】
【０００９】
上記課題を解決するため、本発明は次のような構成を採用する。
【００１０】
なお、本発明の理解を容易にするため図面の参照符号を付するが、本発明はこれに限定されるものでない。
【００１１】
すなわち、請求項１に係る発明は、内容物（ａ）が入れられた袋（１）と、この袋（１）が挿入される容器本体（２）と、上記容器本体（２）の開口部に嵌め込まれる際に上記袋（１）の開封口（１ｅ）を拡開する拡開部材（３）と、上記容器本体（２）の開口部を開閉する開閉蓋（４）とを具備する詰替容器において、上記袋（１）は開封によって多角形の開封口（１ｅ）が形成されるガセット袋であり、上記拡開部材（３）は、上記容器本体（２）の開口部に装着される際に、上記容器本体（２）内に収納されたガセット袋（１）の開封口（１ｅ）における外向きノッチ部（１ｃ）内に侵入しつつ各外向きノッチ部（１ｃ）を拡開する第一のガイド部（１５）と、この拡開部材（３）の上記容器本体（２）の開口部への装着が完了する際に上記開封口（１ｅ）の内周縁を案内して上記開封口（１ｅ）を整った形状に拡開する第二のガイド部（１７）と、を具備し、上記第一のガイド部（１５）による開封口（１ｅ）の拡開時に開封口（１ｅ）の内向きノッチ部（１ｄ）の通過を許容する逃げ部（１６）が拡開部材（３）に設けられた詰替容器を採用する。
【００１２】
上記外向きノッチ部とは、ガセット袋を構成するシートの折り目が開封口（１ｅ）の外側にＶ字形に突出した部分をいう。
【００１３】
なお、上記内容物（Ａ）は乳製品とすることができる。乳製品には、「乳及び乳製品の成分規格等に関する省令（乳等省令）：昭和２６年１２月２７日厚生省令第５２号」における「乳」、「乳製品」及び「乳又は乳製品を主原料とする食品」が含まれ、具体的には、乳、加工乳、乳飲料、はっ酵乳、アイスクリーム、アイスミルク、ラクトアイス、チーズ、調製粉乳、全脂粉乳、脱脂粉乳、練乳等が挙げられ、この詰替容器はいずれの乳製品も包装可能である。
【００１４】
ただし、本発明は、容器が開封された後に長期にわたり喫食される乳製品に好適であり、かかる乳製品としては粉末形状の乳製品、即ち粉乳が好ましく、本発明の効果を最大限に享受することができる。
【００１５】
なお、粉乳とは、調製粉乳、全脂粉乳、脱脂粉乳等の他、粉末クリーム、インスタントクリーミーパウダー、ホエイパウダー、バターミルクパウダー、加糖粉乳等も含まれる。
【００１７】
上記内向きノッチ部とは、ガセット袋を構成するシートの折り目が開封口（１ｅ）の内側にＶ字形に突出した部分をいう。
【００１８】
請求項２に記載されるように、請求項１に記載の詰替容器において、逃げ部の奥に内向きノッチ部に接する庇状ガイド部（１６ａ）が設けられたものとすることができる。
【００１９】
請求項３に記載されるように、請求項１又は請求項２に記載の詰替容器において、上記拡開部材（３）の第二のガイド部（１７）は、上記容器本体（２）の開口部の全内周に沿って壁状に延びているものとすることができる。
【００２０】
請求項４に記載されるように、請求項１乃至請求項３のいずれか一項に記載の詰替容器において、上記拡開部材（３）は上記容器本体（２）の開口部と嵌合する嵌合部（８）を有し、上記開閉蓋（４）は上記拡開部材（３）の嵌合部（８）の上から上記容器本体（２）の開口部に嵌合する嵌合部（９）を有するものとすることができる。
【００２１】
請求項５に記載されるように、請求項４に記載の詰替容器において、上記拡開部材（３）における嵌合部（８）の内周側に、計量具（１８）を載置可能な環状の水平壁（１４）が設けられたものとすることができる。
【００２２】
請求項６に記載されるように、請求項４、又は請求項５に記載の詰替容器において、上記拡開部材（３）における嵌合部（８）に、計量具（１８）で掬った内容物（ａ）を擦り切る摺り切り（１９）が架け渡されたものとすることができる。
【００２３】
また、請求項７に係る発明は、ガセット袋（１）の開封口（１ｅ）における外向きノッチ部（１ｃ）内に侵入しつつ各外向きノッチ部（１ｃ）を拡開する第一のガイド部（１５）と、上記第一のガイド部（１５）が上記ガセット袋（１）の開封口（１ｅ）内に入り切る際に上記開封口（１ｅ）の全内周を案内して上記開封口（１ｅ）を整った形状に拡開する第二のガイド部（１７）と、を具備し、上記第一のガイド部（１５）による開封口（１ｅ）の拡開時に開封口（１ｅ）の内向きノッチ部（１ｄ）の通過を許容する逃げ部（１６）が設けられたガセット袋開封口拡開具を採用する。
【００２５】
請求項８に係る発明は、内容物が入れられた袋と、この袋が挿入される容器本体と、上記容器本体の開口部に嵌め込まれる際に上記袋の開封口を拡開する拡開部材と、上記容器本体の開口部を開閉する開閉蓋とが組み合わされた詰替容器セットにおいて、上記袋は開封によって多角形の開封口が形成されるガセット袋であり、上記拡開部材は、上記容器本体の開口部に装着される際に、上記容器本体内に収納されたガセット袋の開封口における外向きノッチ部内に侵入しつつ各外向きノッチ部を拡開する第一のガイド部と、この拡開部材の上記容器本体の開口部への装着が完了する際に上記開封口の内周縁を案内して上記開封口を整った形状に拡開する第二のガイド部と、を具備し、上記第一のガイド部による開封口の拡開時に開封口の内向きノッチ部の通過を許容する逃げ部が拡開部材に設けられた詰替容器セットを採用する。
【発明の効果】
【００２６】
本発明によれば、内容物（ａ）が入れられた袋（１）と、この袋（１）が挿入される容器本体（２）と、上記容器本体（２）の開口部に嵌め込まれる際に上記袋（１）の開封口（１ｅ）を拡開する拡開部材（３）と、上記容器本体（３）の開口部を開閉する開閉蓋（４）とを具備する詰替容器において、上記袋（１）は開封によって多角形の開封口（１ｅ）が形成されるガセット袋であり、上記拡開部材（３）は、上記容器本体（２）の開口部に装着される際に、上記容器本体（２）内に収納されたガセット袋（１）の開封口（１ｅ）における外向きノッチ部（１ｃ）内に侵入しつつ各外向きノッチ部（１ｃ）を拡開する第一のガイド部（１５）と、この拡開部材（３）の上記容器本体（２）の開口部への装着が完了する際に上記開封口（１ｅ）の内周縁を案内して上記開封口（１ｅ）を整った形状に拡開する第二のガイド部（１７）とを具備した詰替容器であるから、詰替え用の開封されたガセット袋（１）が容器本体（２）内に収納されると、ガセット袋（１）の開封口（１ｅ）が容器本体（２）の開口部内で多角形の半開き状態となる。そこで、拡開部材（３）を容器本体（２）の開口部内のガセット袋（１）の開封口（１ｅ）にあてがうと、まず、その第一のガイド部（１５）が開封口（１ｅ）の各外向きノッチ部（１ｃ）内に侵入して外向きノッチ部（１ｃ）を拡開し、続いて第二のガイド部（１７）が開封口（１ｅ）の内周縁を案内して上記開封口（１ｅ）を整った形状に拡開し保持することになる。従って、ガセット袋（１）の開封口（１ｅ）はその全周縁が簡易かつ迅速に容器本体（２）の開口部内で整った形状に拡開することとなり、新しい詰替え用のガセット袋（１）を開封して容器本体（２）内に装着したり、内容物（ａ）が消費されたガセット袋（１）を新しいものと交換したりする際の操作を極めて簡易に行うことができる。
【００２７】
また、詰替時に、ガセット袋（１）の開封口（１ｅ）を指等で拡げる必要がないので、指等がガセット袋（１）内に入らないようにすることができ、従って、すこぶる衛生的に詰替え用のガセット袋（１）を容器本体（２）内に装填することができる。
【００２８】
また、第一のガイド部（１５）による開封口（１ｅ）の拡開時に開封口（１ｅ）の内向きノッチ部（１ｄ）の通過を許容する逃げ部（１６）が拡開部材（３）に設けられた場合は、ガセット袋の開封口（１ｅ）をより円滑に広げることができる。すなわち、第一のガイド部（１５）が開封口（１ｅ）の各外向きノッチ部（１ｃ）内に侵入して外向きノッチ部（１ｃ）が拡開すると同時に内向きノッチ部が拡開し始めるのであるが、その際逃げ部（１６）が内向きノッチ部の動きを妨げることがないので、開封口（１ｅ）の拡開がスムーズに進む。
【００２９】
また、上記拡開部材の第二のガイド部（１７）が、上記容器本体（２）の開口部の全内周に沿うように壁状に伸びたものである場合は、ガセット袋（１）の開封口（１ｅ）をその全周縁にわたって容器本体（２）の開口部との間に入れることができるので、ガセット袋（１）内の粉ミルク等の内容物（ａ）が容器本体（２）とガセット袋（１）との間に漏れ出るという不具合を防止することができる。
【図面の簡単な説明】
【００３０】
【図１】本発明に係る詰替容器の平面図である。
【図２】図１中、ＩＩ−ＩＩ線矢視断面図である。
【図３】図１中、ＩＩＩ−ＩＩＩ線矢視断面図である。
【図４】詰替容器のヒンジ部の部分切欠図である。
【図５】容器本体の平面図である。
【図６】図５中、ＶＩ−ＶＩ線矢視断面図である。
【図７】図５中、ＶＩＩ−ＶＩＩ線矢視断面図である。
【図８】開閉蓋の平面図である。
【図９】図８中、ＩＸ−ＩＸ線矢視断面図である。
【図１０】図８中、Ｘ−Ｘ線矢視断面図である。
【図１１】拡開部材を斜め上から見た斜視図である。
【図１２】拡開部材を斜め下から見た斜視図である。
【図１３】拡開部材の平面図である。
【図１４】図１３中、ＸＩＶ−ＸＩＶ線矢視断面図である。
【図１５】図１３中、ＸＶ−ＸＶ線矢視断面図である。
【図１６】（Ａ）（Ｂ）（Ｃ）は、拡開部材によるガセット袋の開封口の拡開作用を斜め上から見た状態で示す斜視図である。
【図１７】（Ａ）（Ｂ）（Ｃ）は、拡開部材によるガセット袋の開封口の拡開作用を斜め下から見た状態で示す斜視図である。
【図１８】詰替え用のガセット袋を示し、（Ａ）は未開封状態で示す斜視図、（Ｂ）は開封状態で示す斜視図である。
【発明を実施するための形態】
【００３１】
以下、本発明の望ましい形態について図面に基づいて説明する。
【００３２】
図１乃至図４に示すように、この詰替容器は、内容物ａが入れられた詰替え用ガセット袋１と、このガセット袋１が挿入される容器本体２と、容器本体２の開口部に嵌め込まれる際にガセット袋１の開封口１ｅを拡開する拡開部材３と、容器本体２の開口部を開閉する開閉蓋４とを具備する。
【００３３】
上記詰替え用のガセット袋１は、詰替前は内容物ａを収納したうえで、図１８（Ａ）に示すように密封されている。図１８（Ａ）中、符号１ａはヒートシール等による封緘部を示し、符号１ｂは切り取り予定線を示す。内容物は、例えば乳製品である粉ミルク等である。
【００３４】
このガセット袋１は、詰替に際して切り取り予定線１ｂ上で封緘部１ａが切除されることにより開封される。図１８（Ｂ）に示すように、ガセット袋１には開封によって多角形の開封口１ｅが形成される。この開封口１ｅには当初四隅に各々外向きノッチ部１ｃが生じ、二対の外向きノッチ部１ｃの各対間に内向きノッチ部１ｄが各々生じる。
【００３５】
この開封されたガセット袋１は、図１８（Ｂ）に示す開封状態で容器本体２内に収納される。
【００３６】
容器本体２は、図５乃至図７に示すように、前後壁２ａ，２ｂと左右壁２ｃ，２ｄと底壁２ｅとを具備した全体として略直方体の箱に形成される。図２及び図３に示すように、この箱の開口部から上記開封されたガセット袋１又は未開封のガセット袋１が収納可能である。
【００３７】
容器本体２の開口部の外周には、上から下へと嵌合突起５、上リブ６、下リブ７が順に設けられる。図２及び図３に示すように、嵌合突起５は、拡開部材３の嵌合部８が容器本体２の開口部に被さったときに、この嵌合部８の嵌合突起８ａと嵌合可能である。図２に示すように、上リブ６には拡開部材３の嵌合部８の下縁が当接可能であり、下リブ７には開閉蓋４の嵌合部９の下縁が当接可能である。
【００３８】
また、容器本体２の後壁２ｂには、一対のヒンジを構成するためのブラケット１０が設けられる。図１及び図３に示すように、このブラケット１０に開閉蓋４のヒンジ軸１１が連結可能である。このブラケット１０とヒンジ軸１１からなるヒンジは例えば薄肉部で連結して、容器本体２及び開閉蓋４と一体的に形成することも可能である。また、ヒンジは拡開部材３と開閉蓋４との間に設けることも可能である。
【００３９】
開閉蓋４は、図８乃至図１０に示すように、天板１２と、天板１２の周りから垂下する内外二重の周壁９ａ，９ｂよりなる嵌合部９とを具備する。
【００４０】
図１乃至図３に示すように、この開閉蓋４の嵌合部９が、拡開部材３の嵌合部８の上から容器本体２の開口部に嵌合する。すなわち、開閉蓋４で容器本体２の開口部を閉じたとき、容器本体２の開口部に嵌合した拡開部材３の嵌合部８が内外二重の周壁９ａ，９ｂ間に侵入し、これにより容器本体２と拡開部材３と開閉蓋４の三者が合体する。
【００４１】
また、図９及び図１０に示すように、天板１２と内周壁９ａとの間に、凹部４ａが形成される。ガセット袋１の詰替等にあたり、図４のごとく開閉蓋４を開けた際に、この凹部４ａ内に拡開部材３を入れ、拡開部材３の嵌合部８を開閉蓋４の嵌合部９に挿入することで、ガセット袋１を開封操作等する際に、拡開部材３を仮置きすることが可能である。
【００４２】
拡開部材３は、図１１乃至図１５に示すように、容器本体２と開閉蓋４とは別体のガセット袋開封口拡開具として形成される。
【００４３】
拡開部材３は、容器本体２の開口部に合致しうる大きさの枠型に形成される。そして、この枠の外周側に、図１乃至図３に示すように、容器本体２の開口部に被さり、また、開閉蓋４の嵌合部９に被せられることで、この拡開部材３を容器本体２と開閉蓋４と一体化させる嵌合部８が設けられる。
【００４４】
拡開部材３における嵌合部８の内周側からは、斜壁１３が下がり、この斜壁１３の下端からは環状の水平壁１４が内方に突出し、この水平壁１４の内周にガセット袋１の開封口１ｅへの挿入体が概ね漏斗状に設けられる。
【００４５】
この挿入体は、その中央の略長方形の開口３ａにおける四隅に、ガセット袋１の開封口１ｅの四隅における外向きノッチ部１ｃに各々対応する第一のガイド部１５を有し、第一のガイド部１５と上記水平壁１４との間に、ガセット袋１の完全に拡開した開封口１ｅの内周縁に対応する第二のガイド部１７を有する。
【００４６】
また、上記開口の二短辺の各中央には、第一のガイド部１５による開封口１ｅの拡開時に開封口１ｅの内向きノッチ部１ｄの通過を許容する逃げ部１６が必要に応じて設けられる。
【００４７】
なお、この逃げ部１６の下面を、拡開中の内向きノッチ部１ｄが接触しつつ移動するガイド部とすることも可能である。
【００４８】
第一のガイド部１５が開封口１ｅの各外向きノッチ部１ｃ内に侵入して外向きノッチ部１ｃが拡開すると同時に内向きノッチ部１ｄが拡開し始めるが、その際逃げ部１６が内向きノッチ部１ｄの動きを妨げないので、開封口１ｅが円滑に拡開することとなる。
【００４９】
挿入体の中央の開口３ａは容器本体２の開口部の開口よりやや小さく、この開口を通して内容物ａの取り出しが行われる。
【００５０】
開封されたガセット袋１が収納された容器本体２の開口部に、拡開部材３が装着される際、図１６（Ａ）及び図１７（Ａ）に示すように、まず、その挿入体の第一のガイド部１５がガセット袋１の開封口１ｅにおける外向きノッチ部１ｃ内に侵入しつつ各外向きノッチ部１ｃを同時に拡開する。図１６（Ｂ）及び図１７（Ｂ）に示すように、同時に各内向きノッチ部１ｄも拡開しようとするが、逃げ部１６がこの内向きノッチ部１ｄの移動に伴う衝突を回避する。続いて、図１６（Ｃ）及び図１７（Ｃ）に示すように、第二のガイド部１７が開封口１ｅの内周縁を案内して開封口１ｅを整った形状に拡開し保形する。同時に、拡開部材３の嵌合部８が図２及び図３のごとく容器本体２の開口部と嵌合し、拡開部材３が容器本体２と一体化される。かくて、この拡開部材３の容器本体２の開口部への装着が完了する。
【００５１】
なお、第二のガイド部１７間は、水平壁１４から垂下する垂下壁１７ａに連なり、その結果、第二のガイド部１７は容器本体２の開口部の全内周に沿って壁状に延びることになる。これにより、ガセット袋１の開封口１ｅの全内周縁は、図２及び図３に示すように、拡開部材３の開口３ａの縁で遮蔽されるので、ガセット袋１から内容物ａを取り出す際に内容物ａが容器本体２とガセット袋１との間に落下するという不具合が防止される。
【００５２】
また、図１及び図２に示すように、嵌合部８の内周側に斜壁１３が設けられることで斜壁１３の内側には凹部が形成され、斜壁１３に連なるように環状の水平壁１４が設けられる。図１及び図２に示すように、この水平壁１４上にスプーン等計量具１８が置かれる。
【００５３】
また、拡開部材３には、図１１乃至図１５に示すように、その中央の開口３ａを横断するように摺り切り１９が架け渡される。上記計量具１８で掬った内容物ａをこの摺り切り１９により摺り切ることが可能である。
【００５４】
また、拡開部材３の周縁すなわち嵌合部には、外方向に突出する摘み片２０が設けられる。操作者は摘み片２０を持って拡開部材３を容器本体２等に対し簡易に着脱することできる。
【００５５】
次に、上記構成の詰替容器及び拡開部材の作用について説明する。
【００５６】
（１）粉ミルク等の内容物ａが収納されたガセット袋１は、当初図１８（Ａ）に示すような開封口１ｅが封緘部１ａで密封された状態にある。
【００５７】
このガセット袋１の封緘部１ａが、切り取り予定線１ｂ上で切除されることにより、図１８（Ｂ）に示すように開封される。この開封されたガセット袋１が容器本体２内に挿入される。あるいは、未開封のガセット袋１が容器本体２内に収納された後、その封緘部１ａが切除されることにより開封される。
【００５８】
（２）ガセット袋１の開封口１ｅは、当初多角形の半開状態にあり、四つの外向きノッチ部１ｃと二つの内向きノッチ部１ｄとが生じている。
【００５９】
容器本体２内のガセット袋１の開封口１ｅ内に、操作者によって拡開部材３の挿入部が挿入される。
【００６０】
（３）図１６（Ａ）及び図１７（Ａ）に示すように、まず、拡開部材３における挿入体の第一のガイド部１５がガセット袋１の開封口１ｅにおける外向きノッチ部１ｃ内に侵入しつつ各外向きノッチ部１ｃを同時に拡開する。
【００６１】
（４）続いて、図１６（Ｂ）及び図１７（Ｂ）に示すように、逃げ部１６が開封口１ｅにおける内向きノッチ部１ｄの通過を許容し、また、この逃げ部１６の奥に設けられた庇状ガイド部１６ａが内向きノッチ部１ｄに当接しながら各内向きノッチ部１ｄを拡開状態へと案内する。
【００６２】
（５）さらに、図１６（Ｃ）及び図１７（Ｃ）に示すように、第二のガイド部１７が開封口１ｅの内周縁を案内して開封口１ｅを整った形状に拡開し保持する。
【００６３】
（６）ガセット袋１の開封口１ｅが第二のガイド部１７によって略長方形に開き切ると同時に、拡開部材３の嵌合部８が図２及び図３のごとく容器本体２の開口部と嵌合し、拡開部材３が容器本体２と一体化される。
【００６４】
かくて、操作者の指等がガセット袋１の内部に触れることなく、ガセット袋１の開封口１ｅが完全に開かれた状態で速やかに詰替容器の開口部に装着されることとなる。
【００６５】
（７）ガセット袋１の内容物ａを取り出すには、スプーン等の計量具１８を拡開部材３の開口３ａからガセット袋１内に挿入して内容物ａを掬い、摺り切り１９で余剰の内容物ａを除去し、容器本体２外へと取り出す。
【００６６】
（８）第二のガイド部１７及び垂下壁１７ａが容器本体２の開口部の全内周に沿って伸びるので、ガセット袋１の開封口１ｅの全内周は、図２及び図３に示すように、拡開部材３の開口縁から遮蔽される。これにより、ガセット袋１から内容物ａを取り出す際に内容物ａが容器本体２とガセット袋１との間に落下するという不具合が防止される。
【００６７】
（９）内容物ａの取り出し後、開閉蓋４を容器本体２の開口部側に倒して開閉蓋４の嵌合部９を拡開部材３の嵌合部８に嵌合させることで、開閉蓋４によって再びガセット袋１内を密閉状態に保つことができる。
【００６８】
（１０）ガセット袋１内の内容物ａが消費されると、開閉蓋４を開け、拡開部材３を容器本体２から取り外し、空のガセット袋１を容器本体２から抜き取り、新しいガセット袋１を開封して上述したと同様な手順で容器本体２内に装着し、拡開部材３でガセット袋１の開封口１ｅを拡開することで中味の内容物ａを取り出すことができる。
【００６９】
なお、本発明は上記実施の形態に限定されるものではなく、本発明の要旨の範囲内で種々変更可能である。例えば、実施の形態では内容物は粉ミルクであるが、そのような粉末状のほか、顆粒状、粒状、ブロック状、ペースト状等各種の形態の食品とすることができる。その他、内容物は、錠剤であってもよいし、個々のピースが個包装されたピース状のものであってもよい。また、内容物が入れられた袋と、この袋が挿入される容器本体と、容器本体の開口部に嵌め込まれる際に袋の開封口を拡開する拡開部材と、容器本体の開口部を開閉する開閉蓋とが組み合わされた詰替容器セットとして構成することも本発明の範囲内である。
【符号の説明】
【００７０】
１…ガセット袋
１ｅ…開封口
１ｃ…外向きノッチ部
１ｄ…内向きノッチ部
２…容器本体
３…拡開部材
４…開閉蓋
４ａ…凹部
８，９…嵌合部
１５…第一のガイド部
１６…逃げ部
１６ａ…庇状ガイド部
１７…第二のガイド部
１８…計量具
１９…摺り切り
ａ…内容物
【図１】
0005314069.tif 000002
【図２】
0005314069.tif 000003
【図３】
0005314069.tif 000004
【図４】
0005314069.tif 000005
【図５】
0005314069.tif 000006
【図６】
0005314069.tif 000007
【図７】
0005314069.tif 000008
【図８】
0005314069.tif 000009
【図９】
0005314069.tif 000010
【図１０】
0005314069.tif 000011
【図１１】
0005314069.tif 000012
【図１２】
0005314069.tif 000013
【図１３】
0005314069.tif 000014
【図１４】
0005314069.tif 000015
【図１５】
0005314069.tif 000016
【図１６】
0005314069.tif 000017
【図１７】
0005314069.tif 000018
【図１８】
0005314069.tif 000019